(57)【特許請求の範囲】
【請求項１】
燃料ガスを燃焼させ、燃焼ガスが通過する放熱管の放熱によってサウナ室を加熱するガスサウナ装置であって、
燃料ガスをバーナにて燃焼させる燃焼装置と、
前記燃焼装置の動作を制御する制御手段と、
前記サウナ室に隣接する機械室に設けられ、前記燃焼装置に燃焼用空気を供給すると共に前記燃焼装置の燃焼ガスを排出する通風設備と、
前記バーナへの燃料ガスの供給及び遮断を行うガス電磁弁と、を備え、
前記燃焼装置は、
前記バーナに着火する点火装置と、
前記バーナの火炎を検知する火炎検知器と、を備え、
１つの前記バーナに対して前記点火装置及び前記火炎検知器の少なくとも一方が２つ以上設けられることによって燃焼装置を複数系統構成し、
前記ガス電磁弁が閉弁して前記バーナが消化するのに伴って運転中の燃焼装置の系統が停止し、所定時間経過後に前記ガス電磁弁が開弁することによって停止中の他の燃焼装置の系統が起動して前記バーナが着火するよう前記燃焼装置の運転切り換えが定期的に行われ、
前記通風設備は、
前記機械室内から燃焼用空気を吸引し前記バーナへと導くと共に、燃焼ガスを前記機械室の外部へと排出する誘引送風機と、
前記機械室に外気を供給する給気送風機と、を備え、
前記誘引送風機及び前記給気送風機は、前記燃焼装置の運転停止に関係なく連続運転されることを特徴とするガスサウナ装置。
【請求項２】
前記誘引送風機及び前記給気送風機は、前記サウナ室内に設けられる前記放射管内の圧力が大気圧よりも小さく、かつ前記機械室内の圧力が大気圧よりも大きくなるように、連動して動作することを特徴とする請求項１に記載のガスサウナ装置。
【請求項３】
前記燃焼装置の運転切り換え時における前記ガス電磁弁の閉弁から開弁までの間隔は、前記誘引送風機が、前記放射管内のガスを所定回数以上置換し当該放射管内の未燃ガスを除去可能な時間に設定されることを特徴とする請求項１又は請求項２に記載のガスサウナ装置。
【請求項４】
前記制御手段は、運転中の燃焼装置の系統に異常が発生した場合には、その運転中の燃焼装置の系統を停止させると共に停止中の他の燃焼装置の系統を起動させ、燃焼装置の運転を切り換えることを特徴とする請求項３に記載のガスサウナ装置。
【請求項５】
前記サウナ室の温度を検知する温度検知器をさらに備え、
前記燃焼装置は、前記温度検知器によって検知された結果を基に、自動的に前記バーナの燃焼量を増減して前記サウナ室の温度を一定に保つように制御することを特徴とする請求項１から請求項４のいずれか一つに記載のガスサウナ装置。
【請求項６】
前記機械室と異なる場所に設置され、前記燃焼装置を遠隔で監視及び操作可能な遠隔操作盤を備え、
前記遠隔操作盤には、
運転中の燃焼装置を識別するための運転表示部と、
運転中の燃焼装置に異常が発生した場合に、その異常を表示する異常表示部と、
前記燃焼装置の運転の切り換えを自動で行うか又は手段で行うかを選択するための自動手動選択スイッチと、
前記自動手動選択スイッチが手動選択されている場合に、起動する燃焼装置を選択するための燃焼装置選択スイッチと、
が設けられることを特徴とする請求項１から請求項５のいずれか一つに記載のガスサウナ装置。
【発明の詳細な説明】
【技術分野】
【０００１】
本発明は、ガスを燃料とするガスサウナ装置に関するものである。
【背景技術】
【０００２】
近年、ガスを熱源とするガスサウナ装置が広く普及し、殆どの大規模浴場設備に設置されている。
【０００３】
ガスサウナ装置が故障した場合、サウナ特有の構造から修理作業を行い難いという問題がある。これは、ガスサウナ装置が設置される機械室の出入口がサウナ室内に設けられている場合が多く、ガスサウナ装置が故障した際に作業員が機械室に立ち入り難いためである。特に、女性用サウナ室の場合には、営業中に修理作業を行うことが困難となる。ガスサウナ装置が故障した際に、修理できない場合には、浴室設備業者は多大な損害を被ることになる。
【０００４】
ガスサウナ装置の故障は、バーナの不着火によって燃焼装置が停止する場合が最も多い。
【０００５】
そこで、本出願人は、燃焼装置の一部が故障した場合でも、燃焼を中断させることなく、燃焼停止による影響を回避することができる燃焼装置を発明し、出願を行っている（特許文献１）。
【０００６】
特許文献１には、燃料手段、着火手段、及び火炎検知手段の少なくとも一部を、個別に作動可能な少なくとも２系列の要素群として構成し、その要素群を輪番的に切り換え作動させる燃焼装置が開示されている。
【特許文献１】ＷＯ２００５／０８０８７６
【発明の開示】
【発明が解決しようとする課題】
【０００７】
特許文献１は広く知られている一般の燃焼装置を対象になされたもので、一般の燃焼装置では、殆どが押込送風方式であり、着火前に押込通風機によってプレパージを行い、燃焼の停止と同時に送風機も停止する。
【０００８】
したがって、特許文献１の燃焼装置においては、燃焼装置を切り換える際、一方の系列の燃焼装置の停止と同時に送風機も停止させる。そして、他方の系列の燃焼装置の着火前に再度送風機を起動させ、未燃ガスを除去するプレパージを行い、その後、他方の系列の着火が行われる。このように、燃焼装置の停止と同時に送風機が停止する。
【０００９】
一般の燃焼装置では、殆どが押込送風方式であるが、極めて稀に誘引送風方式を用いなければならない場合がある。特に、ガスサウナ装置における燃焼装置では、燃焼室内の圧力を負圧とし燃焼ガスの漏れを防止するために、誘引送風機が用いられる。
【００１０】
燃焼装置の停止と同時に誘引送風機が停止する燃焼装置をガスサウナ装置に適用した場合には、以下のような問題点がある。
（１）水冷壁を有するボイラと異なり、ガスサウナ装置では燃焼室の壁が４００℃〜５００℃にもなるため、点火装置や火炎検知器が燃焼室からの熱で損傷又は変形してしまうおそれがある。
（２）誘引通風機の余熱と燃焼室内に残留する高温の燃焼ガスによって誘引送風機が故障するおそれがある。
【００１１】
本発明は、上記の問題点に鑑みてなされたものであり、故障の発生を招き難いガウスサウナ装置を提供することを目的とする。
【課題を解決するための手段】
【００１２】
本発明は、燃料ガスを燃焼させ、燃焼ガスが通過する放熱管の放熱によってサウナ室を加熱するガスサウナ装置であって、燃料ガスをバーナにて燃焼させる燃焼装置と、前記燃焼装置の動作を制御する制御手段と、前記サウナ室に隣接する機械室に設けられ、前記燃焼装置に燃焼用空気を供給すると共に前記燃焼装置の燃焼ガスを排出する通風設備と、前記バーナへの燃料ガスの供給及び遮断を行うガス電磁弁と、を備え、前記燃焼装置は、前記バーナに着火する点火装置と、前記バーナの火炎を検知する火炎検知器と、を備え、１つの前記バーナに対して前記点火装置及び前記火炎検知器の少なくとも一方が２つ以上設けられることによって燃焼装置を複数系統構成し、前記ガス電磁弁が閉弁して前記バーナが消化するのに伴って運転中の燃焼装置の系統が停止し、所定時間経過後に前記ガス電磁弁が開弁することによって停止中の他の燃焼装置の系統が起動して前記バーナが着火するよう前記燃焼装置の運転切り換えが定期的に行われ、前記通風設備は、前記機械室内から燃焼用空気を吸引し前記バーナへと導くと共に、燃焼ガスを前記機械室の外部へと排出する誘引送風機と、前記機械室に外気を供給する給気送風機と、を備え、前記誘引送風機及び前記給気送風機は、前記燃焼装置の運転停止に関係なく連続運転されることを特徴とする。
【発明の効果】
【００１３】
本発明によれば、燃焼装置は複数の系統から構成され、かつ系統の運転は定期的に切り換えられるため、燃焼装置に故障が発生し難い。また、誘引送風機及び給気送風機は、燃焼装置の運転停止に関係なく連続運転されるため、燃焼室内の温度が低下し、各機器の故障を防止することができる。したがって、故障の発生を招き難いガスサウナ装置を得ることができる。
【発明を実施するための最良の形態】
【００１４】
以下、図面を参照して、本発明の実施の形態に係るガスサウナ装置１００について説明する。図１はサウナ室及び機械室の平面図であり、図２はガスサウナ装置１００を示す模式図である。
【００１５】
まず、図１を参照して、ガスサウナ装置１００が設置されるサウナ室１について説明する。
【００１６】
サウナ室１は、平面視で長方形に形成され、出入口１ａが設けられる。ガスサウナ装置１００の各種機器が設置される機械室２は、出入口２ａがサウナ室１内に設けられ、サウナ室１を通じて出入りする構造となっている。これは、機械室２の出入口２ａをサウナ室１の外部に設ける場合には、機械室２に通じる専用の通路を設ける必要があり、設置スペースが大きくなってしまうためである。
【００１７】
機械室２は、サウナ室１内とを隔てる正面壁３ａ及び側壁３ｂ，３ｃと、屋外とを隔てる背面壁３ｄとによって囲まれる。このように、サウナ室１と機械室２は、正面壁３ａ及び側壁３ｂ，３ｃを隔てて隣接して配置される。なお、機械室２の出入口２ａは、正面壁３ａに設けられる。
【００１８】
サウナ室１には、機械室２の側壁３ｂを隔ててガスサウナヒータ４が設置される。ガスサウナヒータ４が設置されたスペースは、防護柵５によって区画される。
【００１９】
サウナ室１には、ガスサウナヒータ４側を最下段とする多段ベンチ６ａ〜６ｅが設置されると共に、機械室２の側壁３ｃの側方にも２名程度が座れるベンチ６ｆが設置される。
【００２０】
なお、ガスサウナヒータ４には、遠赤外線をサウナ室１内に放射してサウナ室１を加熱するガス遠赤外線サウナヒータと、サウナ室１を高温の空気対流によって加熱する空気対流式ガスサウナヒータとがあるが、本実施の形態では、ガス遠赤外線サウナヒータを用いた場合について説明する。
【００２１】
次に、図２を参照して、ガスサウナ装置１００について説明する。
【００２２】
ガスサウナ装置１００は、サウナ室１に設置されサウナ室１を加熱するガスサウナヒータ４と、燃料ガスをバーナ１０にて燃焼させる燃焼装置１１と、機械室２に設けられ燃焼装置１１に燃焼用空気を供給すると共に燃焼装置１１の燃焼ガスを排出する通風設備１２とを備える。
【００２３】
ガスサウナヒータ４は、ガスを燃料としてサウナ室１を加熱するヒータであり、バーナ１０での燃焼による火炎が伸びる燃焼筒１５と、Ｕ字状に蛇行して形成され燃焼ガスが通過する放射管１６とからなる。火炎及び燃焼ガスによって燃焼筒１５及び放射管１６が高温となり、燃焼筒１５及び放射管１６から放射される遠赤外線によってサウナ室１が加熱される。放熱管１６は、複数の管を互いに差し込んで連結することによって構成される。
【００２４】
バーナ１０には、ガス電磁弁１７が開弁することによって燃料配管１８を通じて燃料ガスが供給され、後述する点火装置３１（図３参照）によって着火される。また、バーナ１０には、送風箱１９を通じて燃焼用空気が供給される。
【００２５】
通風設備１２は、機械室２内から燃焼用空気を吸引しバーナ１０へと導くと共に燃焼ガスを機械室２の外部へと排出する誘引送風機２０と、機械室２に外気を供給する給気送風機２１とを備える。
【００２６】
誘引送風機２０は、機械室２に設けられた室外機２２内に、ガス電磁弁１７と共に収容される。
【００２７】
誘引送風機２０は、吸引ダクト２３を介して放射管１６に接続される。吸引ダクト２３は、機械室２の側壁３ｂに設けられた貫通孔２９を挿通して放射管１６に接続される。
【００２８】
誘引送風機２０は、送風箱１９に形成された吸気口１９ａから燃焼用空気を吸引してバーナ１０へと導く。また、バーナ１０による燃焼によって発生した燃焼ガスを、放射管１６及び吸引ダクト２３を通じて吸引し、排気ダクト２４へと排出する。排気ダクト２４は、機械室２の外部へと延設され、大気に開放される。したがって、誘引送風機２０によって排出された燃焼ガスは、排気ダクト２４を通じて屋外に放出される。
【００２９】
送風箱１９には、燃焼筒１５及び放射管１６内の圧力が大気圧よりも小さいことを確認するための風圧スイッチ２５が設けられる。このように、燃焼筒１５及び放射管１６の圧力は誘引送風機２０によって常に負圧に設定され、人体に有害な燃焼ガスが放熱管１６の連結部からサウナ室１に漏れ出さないように風圧スイッチ２５によって監視されている。
【００３０】
一般的な燃焼装置においては、燃焼用空気をバーナへと供給する送風機として、燃焼用空気を押し込むことによって強制的に供給する押込通風機が用いられる。これは、押込通風機は、温度の低い燃焼用空気を供給するものであるため、送風量が少なくてすむと共に、羽やモータが小型で安価であるという理由による。ここで、サウナは、高温の部屋に裸で無防備な人が多数在室するという危険性の高い場所に設置されるものであり、近年、換気装置の不備によってガス器具による人身事故が発生していることからも、高い安全性が要求される。そこで、ガスサウナ装置１００では、燃焼筒１５及び放射管１６の圧力を負圧とし燃焼ガスの漏れを防止するために、押込通風機ではなく誘引送風機２０が用いられ、燃焼用空気は、誘引送風機２０によって吸引されバーナ１０へと供給される。つまり、安全性を考慮して誘引通風機２０が用いられる。
【００３１】
給気送風機２１は、機械室２と屋外とを隔てる機械室２の背面壁３ｄに設けられ、機械室２内に外気を供給する。給気送風機２１によって機械室２内へと供給された空気は、誘引送風機２０によって吸引され、送風箱１９の吸気口１９ａからバーナ１０へ燃焼用空気として導かれる。そして、バーナ１０での燃焼後、燃焼ガスとして屋外へと放出される。
【００３２】
このように、誘引送風機２０及び給気送風機２１は、バーナに燃焼用空気を供給し燃焼によって発生した燃焼ガスを排出する機能と共に、連動して動作することによって機械室２内の空気を換気する機能も有する。
【００３３】
誘引送風機２０及び給気送風機２１は、機械室２内の圧力が大気圧よりも大きくなるように連動して運転される。機械室２内の圧力を常に大気圧よりも大きく保つことによって、サウナ室１内の高温で汚れた空気が貫通孔２９を通じて機械室２に進入することを防止することができる。したがって、機械室２内の温度上昇が防止され、機械室２内に設置される機器類等の故障が防止される。
【００３４】
つまり、給気送風機２１は、誘引送風機２０が運転している場合であっても、機械室２内の圧力を大気圧よりも大きく保つことが可能な風量と風圧を有する。
【００３５】
なお、背面壁３ｄに換気口２８を設けるようにしてもよい。換気口２８を設けることによって、給気送風機２１によって機械室２内に圧送された空気のうちバーナ１０へ供給されなかった空気は、機械室２内の高い圧力によって換気口２８を通じて屋外へと排気される。
【００３６】
機械室２内には、ガスサウナ装置１００の動作を制御する制御盤２６が設置される。また、サウナ室１内には、サウナ室１内の温度を検知する温度検知器としての温度センサ２７が設けられる。
【００３７】
制御盤２６は、温度センサ２７によって検知された結果を基に、燃焼装置１１の動作を制御する。具体的には、温度センサ２７によって検知されたサウナ室１内の室温が予め定められた設定温度よりも小さい場合には燃焼装置１１を運転し、サウナ室１内の室温が設定温度よりも大きい場合には燃焼装置１１を停止するように制御する。
【００３８】
次に、図３を参照して、燃焼装置１１について詳しく説明する。図３は燃焼装置１１の平面図である。なお、本実施の形態におけるバーナ１０は、先混合式のガスバーナである。
【００３９】
燃焼装置１１は、バーナ１０に着火する点火装置３１（３１Ａ，３１Ｂ）と、バーナ１０の火炎を検知する火炎検知器としてのフレームロッド３２（３２Ａ，３２Ｂ）とを備える。
【００４０】
点火装置３１は、高電圧を発生させるための高電圧トランス３３と、高電圧トランス３３にて発生した高電圧によって火花を出す点火ロッド３４とを備える。
【００４１】
燃料配管１８を通じてバーナ１０に供給された燃料ガスは、バーナ１０先端のノズル３６からコーン状に形成された燃焼内筒３７内に流入し、高電圧トランス３３にて発生する高電圧によって点火ロッド３４とノズル３６との間で放電により着火する。そして、燃焼内筒３７に形成された複数の空気流入穴３７ａから燃焼内筒３７に流入する燃焼用空気と混合して燃焼を開始する。
【００４２】
図３において、燃焼内筒３７内に２点鎖線にて示した線は、バーナ１０から伸びる火炎であり、火炎からは分子や原子から遊離しマイナスに帯電した電子が発生する。
【００４３】
マイナスに帯電した電子群に電圧をかけると電流が流れるため、この電流値を火炎に略平行に設けられるフレームロッド３２によって測定する。測定した電流値が基準値以上である場合には、燃焼していると判断される。このように、フレームロッド３２の検知結果を基に、バーナ１０にて燃焼が行われているか否かが判断される。この判断は制御盤２６にて行われる。
【００４４】
本実施の形態では、燃焼装置１１には、２つの点火装置３１Ａ，３１Ｂと、２つのフレームロッド３２Ａ，３２Ｂとが設けられる。点火装置３１Ａとフレームロッド３２Ａとによって燃焼装置１１Ａが構成され、点火装置３１Ｂとフレームロッド３２Ｂとによって燃焼装置１１Ｂが構成される。このように、燃焼装置１１は、１つのバーナ１０を燃焼させる系統を複数有する。
【００４５】
燃焼装置１１Ａと燃焼装置１１Ｂの運転は、制御盤２６による制御によって、一定時間毎に定期的に自動で切り換えられる。
【００４６】
なお、上記のように点火装置３１及びフレームロッド３２のそれぞれを２つずつ設ける代わりに、点火装置３１及びフレームロッド３２のいずれか一方のみを２つ設けることによって燃焼装置１１Ａと燃焼装置１１Ｂを構成するようにしてもよい。この場合、点火装置３１及びフレームロッド３２のうちの他方は、燃焼装置１１Ａと燃焼装置１１Ｂの双方に共通に用いられることになる。
【００４７】
以上のように、燃焼装置１１は、１つのバーナ１０に対して点火装置３１及びフレームロッド３２の少なくとも一方が２つ以上設けられることによって複数系統構成される。
【００４８】
次に、図４を参照して、ガスサウナ装置１００の動作について説明する。図４はガスサウナ装置１００の動作の手順を示すフローチャートである。以下に示す手順は、制御盤２６によって行われる。
【００４９】
なお、制御盤２６とは別に、機械室２と異なる場所、例えば、係員が常駐するフロント等に燃焼装置１１を遠隔で監視及び操作可能な遠隔操作盤（図示せず）が設けられる。
【００５０】
遠隔操作盤には、燃焼装置１１の運転の切り換えを自動で行うか又は手段で行うかを選択するための自動手動選択スイッチ４１が設けられる。
【００５１】
以下では、自動手動選択スイッチ４１が自動選択されている場合について説明する。
【００５２】
制御盤２６に設けられた起動押ボタンを押すことによって、ガスサウナ装置１００の起動シーケンスが開始される。
【００５３】
まず、ステップ１０１にて給気送風機２１が起動し、続いてステップ１０２にて誘引送風機２０が起動する。給気送風機２１によって機械室２内に外気が供給される。また、誘引送風機２０によって機械室２内の空気が送風箱１９を通じてバーナ１０に供給されると共に、燃焼筒１５及び放射管１６を通じて吸引され排気ダクト２４を通じて屋外に排出される。このように、給気送風機２１及び誘引送風機２０が起動することによって空気が循環する。また、給気送風機２１及び誘引送風機２０は、機械室２内の圧力が大気圧よりも大きくなるように連動して運転される。
【００５４】
次に、ステップ１０３にて、誘引送風機２０が、放射管１６内のガスを所定回数以上置換したか否かが判定される。置換する回数は、放射管１６内に存在する未燃ガスを除去可能な回数に設定される。本実施の形態では、誘引送風機２０の起動後、放射管１６内のガスを４回置換可能な時間が経過したか否かが判定される。
【００５５】
なお、広く流通している水冷壁を有するボイラの場合には、燃焼ガスと水との間で熱交換が行われる。これに対して、ガスサウナ装置１００では、燃焼ガスと自然通風の空気との間で熱交換が行われるため、水冷壁を有するボイラと比較して、大きい伝熱面積が必要であり、放熱管１６の容積が大きい。したがって、ガスサウナ装置１００の場合、水冷壁を有するボイラと比較して、ガスを置換する回数が同じ場合であっても、より長い時間を必要とする。
【００５６】
ステップ１０３にて、放射管１６内のガスを４回置換可能な時間が経過したと判定された場合には、ステップ１０４にて燃焼装置１１Ａが起動する。
【００５７】
具体的には、ガス電磁弁１７が開弁することによって燃料配管１８を通じてバーナ１０に燃料ガスが供給され、点火装置３１Ａによって着火し燃焼が開始する。
【００５８】
バーナ１０による燃焼開始後、ステップ１０５にて、燃焼が良好か否かが判定される。具体的には、フレームロッド３２Ａによって測定された電流値が基準値以上であるか否かを判定することによって燃料が良好か否かが判定される。
【００５９】
ステップ１０５にて、フレームロッド３２Ａによって測定された電流値が基準値以上である場合には、燃焼が良好であると判定されステップ１０６に進む。ステップ１０６では、温度センサ２７によって検知されたサウナ室１内の室温を基に、燃焼装置１１Ａのオンオフ制御が行われる。具体的には、サウナ室１内の室温が設定温度よりも大きくなった場合には燃焼装置１１Ａは停止し、サウナ室１内の室温が設定温度よりも小さくなった場合には燃焼装置１１Ａは起動する。
【００６０】
燃焼装置１１Ａの運転中、風圧スイッチ２５にて、燃焼筒１５及び放射管１６内の圧力が大気圧よりも小さいことが常時監視される。燃焼筒１５及び放射管１６内の圧力が大気圧よりも大きくなり、その状態が所定時間継続するような場合には、サウナ室１内へのガス漏れを防止するために、ガス電磁弁１７を強制的に閉弁し燃焼装置１１Ａを停止させる等のインターロック機能が働く。
【００６１】
また、燃焼装置１１Ａの運転中も、給気送風機２１及び誘引送風機２０は、機械室２内の圧力が大気圧よりも大きくなるように連動して運転される。したがって、サウナ室１内の高温の空気が機械室２に進入することが防止され、機械室２内に設置される機器類等の故障が防止される。
【００６２】
ステップ１０７では、燃焼装置１１Ａに対して停止指令が無いかが判定される。この停止指令は、営業が終了した場合等、ガスサウナ装置１００を意図的に停止させる場合であり、制御盤２６に設けられた燃焼装置１１Ａの停止押ボタンを押すことによって発せられる。
【００６３】
ステップ１０７にて、燃焼装置１１Ａの停止指令があると判定された場合には、ステップ５００に進み、ガス電磁弁１７が閉弁となり燃料ガスの供給が遮断され、燃焼装置１１Ａは停止する。ステップ５００では、燃焼装置１１Ａ及び燃焼装置１１Ｂの双方が停止した状態となる。
【００６４】
ステップ１０７にて、燃焼装置１１Ａへの停止指令が無いと判定された場合には、燃焼装置１１Ａは運転を継続し、ステップ１０８に進む。ステップ１０８では、燃焼装置１１Ａの運転から燃焼装置１１Ｂの運転への切り換え指令があるか否かが判定される。運転の切り換え指令は、定期的に、例えば８時間毎に発せられる。
【００６５】
ステップ１０８にて、切り換え指令が無いと判定された場合には、燃焼装置１１Ａは運転を継続する。
【００６６】
ステップ１０８にて、切り換え指令があると判定された場合には、ステップ１０９にて、ガス電磁弁１７が閉弁することによって、バーナ１０が消火し燃焼装置１１Ａは停止する。
【００６７】
ステップ１０９にて燃焼装置１１Ａが停止した後、ステップ２０３に進み、上記ステップ１０３と同様に、誘引送風機２０が、放射管１６内のガスを所定回数以上置換したか否かが判定される。
【００６８】
ステップ２０３にて、放射管１６内のガスを４回置換可能な時間が経過したと判定された場合には、ステップ２０４に進み、上記ステップ１０４と同様に、ガス電磁弁１７が開弁することによって燃焼装置１１Ｂが起動する。
【００６９】
このようにして燃焼装置１１Ａから燃焼装置１１Ｂへの切り換えが行われ、切り換え時には、誘引送風機２０によって放射管１６内のガスが所定回数以上置換される。つまり、燃焼装置１１の運転の切り換え時におけるガス電磁弁１７の閉弁から開弁までの間隔は、誘引送風機２０が、放射管１６内のガスを所定回数以上置換し放射管１６内の未燃ガスを除去可能な時間に設定される。
【００７０】
このように、燃焼装置１１の切り換え時においても、誘引送風機２０及び給気送風機２１は連続運転を継続し、放射管１６内の未燃ガスを完全に除去する。したがって、未燃ガスが残存することによるバックファイアの発生を防止することができる。また、誘引送風機２０及び給気送風機２１が連続運転を継続することによって、高温の燃焼筒１５内に設けられるバーナ１０が冷却されるため、着火時のフラッシュバックを防止することができる。
【００７１】
なお、燃焼装置１１の切り換え時に、誘引送風機２０のみ停止させた場合には、放射管１６内の圧力が給気送風機２１の圧力によって上昇し、放射管１６内に残留する有害な燃焼ガスが放射管１６の連結部の隙間からサウナ室１へと押し出され漏れる危険性がある。しかし、誘引送風機２０及び給気送風機２１は連続運転を継続するため、そのような危険は回避される。
【００７２】
ステップ２０４における燃焼装置１１Ｂの起動後のステップ２０５〜２０９の手順は、燃焼装置１１Ａにおける上記ステップ１０５〜１０９の手順と同様であるため、説明を省略する。
【００７３】
燃焼装置１１Ｂの起動から一定時間が経過し、ステップ２０８にて、切り換え指令があると判定された場合には、ステップ２０９にて、ガス電磁弁１７が閉弁することによって、バーナ１０が消火し燃焼装置１１Ｂは停止する。
【００７４】
ステップ２０９にて燃焼装置１１Ｂが停止した後、ステップ１０３に進み、燃焼装置１１Ａの起動シーケンスが進行する。
【００７５】
以上のように、燃焼装置１１Ａと燃焼装置１１Ｂの運転は、一定時間毎に定期的に自動で切り換えられる。これにより、長時間の連続運転が避けられるため、燃焼装置１１に故障が発生し難い。
【００７６】
次に、燃焼装置１１Ａの運転中に、燃焼が異常となった場合について説明する。
【００７７】
燃焼装置１１Ａの運転中における燃焼の状態は、フレームロッド３２Ａによって常時監視されている。具体的には、ステップ１０５にて、フレームロッド３２Ａによって測定された電流値が基準値未満である場合には、燃焼が異常であると判定されステップ１１０に進む。燃焼の異常とは、点火装置３１Ａの故障による不着火や、フレームロッド３２Ａの故障による火炎の検知不良等である。
【００７８】
ステップ１１０では、ガス電磁弁１７が閉弁することによって、バーナ１０が消火し燃焼装置１１Ａは停止する。
【００７９】
ステップ１１１では、誘引送風機２０が、放射管１６内のガスを所定回数以上置換したか否かが判定される。
【００８０】
ステップ１１１にて、放射管１６内のガスを４回置換可能な時間が経過したと判定された場合には、ステップ１１２に進み、ガス電磁弁１７が開弁することによって燃焼装置１１Ｂが起動する。
【００８１】
このように、燃焼装置１１Ａの運転中に、燃焼の異常が発生した場合には、燃焼装置１１Ａが自動停止すると共に燃焼装置１１Ｂが自動起動して、正常な燃焼装置１１Ｂへと運転が切り換えられる。
【００８２】
続いて、ステップ１１３では、フレームロッド３２Ｂによって測定された電流値を基に、燃焼が良好か否かが判定される。
【００８３】
ステップ１１３にて、燃焼が良好であると判定された場合にはステップ１１４に進み、ステップ１１４では、温度センサ２７によって検知されたサウナ室１内の室温を基に、燃焼装置１１Ｂのオンオフ制御が行われる。
【００８４】
ステップ１１３にて、燃焼が異常であると判定された場合には、ステップ５００に進み、ガス電磁弁１７が閉弁となり燃焼装置１１Ｂは停止する。これにより、燃焼装置１１Ａ及び燃焼装置１１Ｂの双方が停止した状態となる。
【００８５】
ステップ１１５では、燃焼装置１１Ｂに対して停止指令が無いかが判定される。ステップ１１５にて、燃焼装置１１Ｂの停止指令があると判定された場合には、ステップ５００に進み、ガス電磁弁１７が閉弁となり燃焼装置１１Ｂは停止する。また、ステップ１１５にて、燃焼装置１１Ｂへの停止指令が無いと判定された場合には、燃焼装置１１Ｂは運転を継続する。
【００８６】
一方、燃焼装置１１Ｂの運転中に、燃焼が異常となった場合には、ステップ２０５からステップ２１０に進み、ステップ２１５までの手順によって正常な燃焼装置１１Ａへと運転が切り換えられる。ステップ２１０〜ステップ２１５の手順は、上記ステップ１１０〜ステップ１１５の手順と同様であるため、説明を省略する。
【００８７】
以上のように、一方の燃焼装置１１の燃焼が異常になった場合には、他方の正常な燃焼装置１１へと運転が自動で切り換えられるため、切り換え後、異常が発生した燃焼装置１１の修理を行うことができる。したがって、ガスサウナヒータ４の停止を防止することができ、ガスサウナ装置１００を安心して運営することができる。
【００８８】
なお、以上では、燃焼装置１１は、温度センサ２７によって検知されたサウナ室１内の室温を基に、オンオフ制御を行なうと説明した。しかし、燃焼装置１１の自動制御として、オンオフ制御に代え、温度センサ２７によって検知された結果を基に、自動的にバーナ１０の燃焼量を増減して、サウナ室１の温度を一定に保つように制御してもよい。具体的には、高燃焼、低燃焼、停止の３位置制御や、比例制御によってバーナ１０の燃焼量が増減される。このようにバーナ１０の燃焼量を自動制御することによって、燃焼装置１１のオンオフの回数が減るため、バーナ１０着火時の不着火頻度が減ると共に、燃焼装置１１停止時における誘引送風機２０の連続運転による熱損失を減少させることができる。
【００８９】
次に、図５を参照して、遠隔操作盤に設けられた自動手動選択スイッチ４１が手動選択されている場合について説明する。図５は、自動手動選択スイッチ４１が手動選択されている場合におけるガスサウナ装置１００の動作の手順を示すフローチャートである。
【００９０】
自動手動選択スイッチ４１が手動選択されるのは、例えば、燃焼装置１１Ａの運転中に待機中の燃焼装置１１Ｂを点検する場合等である。このような場合には、点検する燃焼装置１１Ｂに自動で切り切り換わるのを防ぐため、自動手動選択スイッチ４１を手動選択とする。
【００９１】
図５に示すように、遠隔操作盤には、自動手動選択スイッチ４１の他、燃焼装置１１Ａ及び燃焼装置１１Ｂそれぞれの起動・停止押ボタン（図示せず）と、運転中の燃焼装置１１を識別するための運転表示部（図示せず）と、運転中の燃焼装置１１に異常が発生した場合にその異常を表示する異常表示部４２と、自動手動選択スイッチ４１が手動選択されている場合に、起動する燃焼装置１１を選択するための燃焼装置選択スイッチ４３とが設けられる。
【００９２】
異常表示部４２は、燃焼装置１１Ａに異常が発生した場合に点灯するＡ側異常ランプ４２ａと、燃焼装置１１Ｂに異常が発生した場合に点灯するＢ側異常ランプ４２ｂとからなる。
【００９３】
図４に示す自動手動選択スイッチ４１が手動選択されている状況で、燃焼装置１１Ｂに異常が発生した場合には、Ｂ側異常ランプ４２ｂが点灯する。これにより、フロントの係員は燃焼装置１１Ｂの異常に気付くことができる。
【００９４】
この場合には、係員は、燃焼装置１１Ｂの停止押ボタンを押して燃焼装置１１Ｂを停止させると共に、燃焼装置選択スイッチ４３を図５に示すように、燃焼装置１１Ａ側へと切り換える。
【００９５】
そして、燃焼装置１１Ａの起動押ボタンを押すことによって燃焼装置１１Ａの起動シーケンスが開始し（ステップ３０１）、燃焼装置１１Ａが起動する。ステップ３０２〜３０６の手順は、ステップ１０３〜１０７の手順と同様であるため、説明を省略する。
【００９６】
また、燃焼装置１１Ａに異常が発生した場合には、Ａ側異常ランプ４２ａが点灯する。これにより、フロントの係員は燃焼装置１１Ａの異常に気付くことができる。
【００９７】
この場合には、係員は、燃焼装置１１Ａの停止押ボタンを押して燃焼装置１１Ａを停止させると共に、燃焼装置選択スイッチ４３を燃焼装置１１Ｂ側へと切り換える。
【００９８】
そして、燃焼装置１１Ｂの起動押ボタンを押すことによって燃焼装置１１Ｂの起動シーケンスが開始し（ステップ４０１）、燃焼装置１１Ｂが起動する。ステップ４０２〜４０６の手順は、ステップ１０３〜１０７の手順と同様であるため、説明を省略する。
【００９９】
以上のように、自動手動選択スイッチ４１が手動選択されている状況で、燃焼装置１１Ａ及び燃焼装置Ｂの一方に異常が発生した場合でも、手動操作によって簡単に正常な燃焼装置へと運転を切り換えることができる。また、この手動操作が行われる遠隔操作盤は、機械室２と異なるフロント等に設けられるため、燃焼装置１１の異常時に浴室とサウナ室１を通過して機械室２へと行く必要がなく、迅速に故障に対応することができる。
【０１００】
次に、図４及び図５を参照して、ガスサウナ装置１００の停止の手順について説明する。
【０１０１】
ステップ５００にて、燃焼装置１１Ａ及び燃焼装置１１Ｂの双方が停止した状態においても、誘引送風機２０及び給気送風機２１は運転を継続する。このように、誘引送風機２０及び給気送風機２１は、燃焼装置１１の運転停止に関係なく連続運転される。
【０１０２】
誘引送風機２０及び給気送風機２１の停止は、燃焼装置１１Ａ及び燃焼装置１１Ｂの双方が停止した後、所定時間経過後に自動又は手動にて行われる。
【０１０３】
この所定時間は、サウナ室１内及び機械室２内の温度が、機械室２内の各機器に悪影響を与えない程度まで低下する時間が望ましい。また、高温の燃焼ガスを排出する誘引送風機２０は、排出用の羽と、モータを冷却するための空冷用ファンの羽とがモータのシャフトに同軸状に設けられる構造である。したがって、誘引送風機２０を排気温度が充分低下する前に停止させると、モータが冷却されずに過熱し故障するおそれがある。このような観点からも、誘引送風機２０の停止は、燃焼装置１１の停止後、充分な時間が経過しているのが望ましい。
【０１０４】
以上の実施の形態によれば、以下に示す効果を奏する。
【０１０５】
燃焼装置１１は複数の系統（１１Ａ，１１Ｂ）から構成され、かつ燃焼装置１１の運転は定期的に切り換えられる。したがって、１つの燃焼装置１１の長時間の連続運転が避けられるため、燃焼装置１１に故障が発生し難い。
【０１０６】
また、誘引送風機２０によって、燃焼筒１５及び放射管１６内の圧力は大気圧よりも小さく保たれる。これにより、人体に有害な燃焼ガスがサウナ室１に漏れ出すことが防止される。
【０１０７】
また、誘引送風機２０及び給気送風機２１は、機械室２内の圧力が大気圧よりも大きくなるように連動して運転される。したがって、サウナ室１内の高温で汚れた空気が機械室２に進入することが防止され、機械室２内に設置される機器類等の故障を防止することができる。
【０１０８】
また、燃焼装置１１の切り換え時には、誘引送風機２０によって放射管１６内のガスを所定回数以上置換し、放射管１６内の未燃ガスを完全に除去してからバーナの着火が行われる。したがって、燃焼装置１１の切り換え時に、未燃ガスが残存することによるバックファイアの発生を防止することができる。
【０１０９】
また、燃焼装置１１の切り換え時に、誘引送風機２０及び給気送風機２１が連続運転を継続することによって、高温の燃焼筒１５内に設けられるバーナ１０が冷却されるため、着火時のフラッシュバックを防止することができる。また、点火装置３１及びフレームロッド３２も冷却され、熱による損傷、変形が防止される。
【０１１０】
なお、燃焼装置１１の切り換えに伴う燃焼装置１１の停止中に誘引送風機２０が連続運転を継続することによって、放射管１６内にサウナ室１の温度よりも低い常温の空気が送風され、その空気によってサウナ室１内が冷却され熱エネルギーが無駄になるおそれがある。しかし、燃焼装置１１は、温度センサ２７によって検知された結果を基に、高燃焼、低燃焼、停止の３位置制御や比例制御によってサウナ室１内の温度を自動制御すれば、運転と停止のみのオンオフ制御と比較して、サウナ室１の温度が過上昇して自動停止する時間を短くすることができる。したがって、熱エネルギーの損失が防止される。
【０１１１】
また、燃焼装置１１の停止後も、誘引送風機２０及び給気送風機２１は連続運転を継続する。これにより、誘引送風機２０によって機械室２の空気が排気されると共に、給気送風機２１によって機械室２に新しい空気が供給される。したがって、誘引通風機２０からの放熱や、サウナ室１と機械室２との間に設けられるテレビの放熱等による機械室２内の温度上昇が防止される。このように燃焼装置１１停止後も機械室２内は換気され室温の上昇が抑制されるため、機械室２内の各機器の故障を防止することができる。このような誘引送風機２０の換気装置としての役割は重要であり、燃焼装置１１が停止した場合でも、停止させることができない。
【０１１２】
また、燃焼装置１１の停止後も、誘引送風機２０の連続運転を継続することによって、誘引送風機２０のモータが冷却されるため、モータの故障を防止することができる。
【０１１３】
このように、誘引送風機２０及び給気送風機２１を、燃焼装置１１の運転停止とは関係なく連続運転することによって、ガスサウナ装置１００の故障を防止することができ、安全に運営することが可能となる。
【０１１４】
本発明は上記の実施の形態に限定されずに、その技術的な思想の範囲内において種々の変更がなしうることは明白である。
【産業上の利用可能性】
【０１１５】
本発明に係るガスサウナ装置は、大規模浴場設備に設置されるサウナ設備に用いることができる。
【図面の簡単な説明】
【０１１６】
【図１】サウナ室及び機械室の平面図である。
【図２】本発明の実施の形態に係るガスサウナ装置を示す模式図である。
【図３】燃焼装置の平面図である。
【図４】ガスサウナ装置の動作の手順を示すフローチャートである。
【図５】ガスサウナ装置を手動操作する場合の手順を示すフローチャートである。
【符号の説明】
【０１１７】
１００  ガスサウナ装置
１      サウナ室
２      機械室
４      ガスサウナヒータ
１０    バーナ
１１，１１Ａ，１１Ｂ  燃焼装置
１２    通風設備
１６    放射管
１７    ガス電磁弁
１９ａ  吸気口
２０    誘引送風機
２１    給気送風機
２４    排気ダクト
２６    制御盤
２７    温度センサ
２９    貫通孔
３１，３１Ａ，３１ｂ  点火装置
３２，３２Ａ，３２Ｂ  フレームロッド
３３    高電圧トランス
３４    点火ロッド
４１    自動手動選択スイッチ
４２ａ  Ａ側異常ランプ
４２ｂ  Ｂ側異常ランプ
４３    燃焼装置選択スイッチ
【図１】
0005197038.tif 000002
【図２】
0005197038.tif 000003
【図３】
0005197038.tif 000004
【図４】
0005197038.tif 000005
【図５】
0005197038.tif 000006